(57)【特許請求の範囲】
【請求項１】
正面視で、加工箱を含み、前記加工箱内には作業チャンバが設置され、前記作業チャンバの上壁に外部と連通した開口が形成され、前記作業チャンバの下端壁には駆動機構が設置され、
前記駆動機構の上側には縁部修整機構が設置され、前記縁部修整機構は回転可能な大型傘歯車を含み、前記大型傘歯車と前記駆動機構とは伝動可能に噛み合い、前記大型傘歯車内には太軸が固定的に設置され、前記太軸内には左右端壁が前記作業チャンバと連通した円柱チャンバが設置され、前記円柱チャンバ内には第一捻りばねによって細軸が回転可能に設置され、前記細軸の左端には摩擦輪が固定的に設置され、前記摩擦輪の左側には皮革製品が設置され、前記細軸の右端面には第一ネジ山軸が固定的に設置され、前記第一ネジ山軸には第一ネジ山ブロックがネジ山で連結され、前記皮革製品が右へ運動する時に前記摩擦輪に摩擦され、この時に前記摩擦輪は前記皮革製品の縁部に修整を行え、前記第一捻りばねが前記摩擦輪に連動してねじって変形し、前記第一ネジ山軸と前記第一ネジ山ブロックとのネジ山連結によって前記第一ネジ山ブロックを連動させて左右に運動させられ、
前記駆動機構の左側には移動機構が設置され、前記移動機構は前記皮革製品の左右運動を制御でき、
前記駆動機構の右側には復位機構が設置され、前記復位機構は回転可能な回転ブロックを含み、前記回転ブロックが回転する時に、前記皮革製品を最初の移動方向の反対方向へ移動させることができることを特徴とする皮革製品縁部の自動修整設備。
【請求項２】
前記縁部修整機構は前記作業チャンバの上端壁と固定的に連結された支持棒も含み、前記支持棒内には前記太軸が回転可能に設置され、前記円柱チャンバの上端壁内には下方に開口した移動溝が形成され、前記移動溝内には移動ブロックがスライド可能に設置され、前記移動ブロックの下端面には下端が前記円柱チャンバ内に位置する移動棒が固定的に設置され、前記移動棒の下端には前記第一ネジ山ブロックが固定的に設置され、前記第一ネジ山ブロックの右端面には右端が前記作業チャンバ内に位置する推動棒が固定的に設置されていることを特徴とする請求項１に記載の皮革製品縁部の自動修整設備。
【請求項３】
前記復位機構は前記作業チャンバの右端壁内に位置する弾性チャンバも含み、前記弾性チャンバは左方に開口し、前記弾性チャンバの右端壁には弾性ばねが固定的に設置され、前記弾性ばねの左端には前記弾性チャンバとスライド可能に連結された弾性ブロックが固定的に設置され、前記弾性ブロック内には下方に開口した弾力チャンバを含み、前記弾力チャンバの上端壁には弾力ばねが固定的に設置され、前記弾力ばねの下端には前記弾力チャンバとスライド可能に連結された弾力ブロックが固定的に設置され、前記作業チャンバの後端壁内には前方に開口した捻り溝が形成され、前記捻り溝の後端壁には中心軸が回転可能に設置されていることを特徴とする請求項１に記載の皮革製品縁部の自動修整設備。
【請求項４】
前記捻り溝と前記中心軸との間には第二捻りばねが設置され、前記中心軸には回転ブロックと爪車とが固定的に設置され、前記爪車は前記回転ブロックの前側に位置し、前記作業チャンバ内には前方に開口した昇降溝が形成され、前記昇降溝内には昇降ブロックがスライド可能に設置され、前記昇降ブロックの前端は前記作業チャンバ内に位置し、前記昇降ブロックの前端には昇降棒が固定的に設置され、前記昇降棒の下側には前記作業チャンバの後端壁と回転可能に連結された回転軸が設置され、前記回転軸には伝動棒が固定的に設置されていることを特徴とする請求項３に記載の皮革製品縁部の自動修整設備。
【請求項５】
前記駆動機構は前記作業チャンバの下端壁に固定的に設置されたモータを含み、前記モータの上端面内にはモータ軸が回転可能に設置され、前記モータ軸の上端には前記大型傘歯車と噛み合った駆動傘歯車が固定的に設置され、前記モータ軸内には左方に開口した運動チャンバが設置され、前記運動チャンバの下端壁には運動ばねが固定的に設置され、前記運動ばねの上端には前記運動チャンバとスライド可能に連結された運動棒が固定的に設置され、前記運動棒の左端は前記作業チャンバ内に位置し、且つ前記運動棒の左端には第一傘歯車が固定的に設置され、前記第一傘歯車の下側には前記モータ軸とスライド可能に連結された第二傘歯車ａが設置され、前記第二傘歯車ａと前記第一傘歯車とは二本の力受け棒によって固定的に連結されていることを特徴とする請求項４に記載の皮革製品縁部の自動修整設備。
【請求項６】
前記移動機構は前記作業チャンバの左端壁と回転可能に連結された第一出力軸と第二出力軸とを含み、前記第二出力軸は前記第一出力軸の上側に位置し、前記第一出力軸には第一伝動歯車が固定的に設置され、前記第一出力軸の右端には第三傘歯車が固定的に設置され、前記第二出力軸には前記第一伝動歯車と伝動可能に噛み合った第二伝動歯車が固定的に設置され、前記作業チャンバの後端壁には前方に開口した水平移動溝が設置され、前記水平移動溝内には水平移動ブロックがスライド可能に設置され、前記水平移動ブロックの前端には前記第二出力軸とネジ山で連結された第二ネジ山ブロックが固定的に設置され、前記第二出力軸の右端には前記第一傘歯車と伝動可能に噛み合った第二傘歯車が固定的に設置され、前記第二ネジ山ブロックの上端面には作業台が固定的に設置され、前記作業台の前端面にはチャックが二つ装着され、二つのチャックによって前記皮革製品を挟めることを特徴とする請求項１に記載の皮革製品縁部の自動修整設備。
【請求項７】
前記運動ばねは引っ張られている状態にあり、前記第二捻りばねは正常状態にあることを特徴とする請求項５に記載の皮革製品縁部の自動修整設備。
【請求項８】
前記弾力ブロックが右へ運動する時に、前記爪車を回転連動させることができないのであり、前記弾力ブロックが前記爪車の右側から左側へ運動する時に、前記爪車は駆動されて回転することを特徴とする請求項４に記載の皮革製品縁部の自動修整設備。
【発明の詳細な説明】
【技術分野】
【０００１】
本発明は皮革製品加工分野を取り上げ、具体的には皮革製品縁部の自動修整設備である。
【背景技術】
【０００２】
皮革製品が裁断した直後、又は使い古した後に、縁部はよく不整になりがちである。しかし、今の皮革製品に対する修整加工は基本的に人力で行い、修整が複雑で、効率も低く、さらに加工基準は従業員の経験で判断され、浪費を招きやすい。
【先行技術文献】
【特許文献】
【０００３】
【特許文献１】中国特許出願公開第１０７２６３９３０号明細書
【発明の概要】
【発明が解決しようとする課題】
【０００４】
本発明は皮革製品縁部の自動修整設備を提供し、皮革製品縁部に対する修整が遅くて、効率が悪いなどの欠点を解消することを目的とする。
【課題を解決するための手段】
【０００５】
本発明は以下の技術プランによって実現される。
【０００６】
本発明の皮革製品縁部の自動修整設備は、加工箱を含み、前記加工箱内には作業チャンバが設置され、前記作業チャンバの上壁に外部と連通した開口が形成され、前記作業チャンバの下端壁には駆動機構が設置され、
前記駆動機構の上側には縁部修整機構が設置され、前記縁部修整機構は回転可能な大型傘歯車を含み、前記大型傘歯車と前記駆動機構とは伝動可能に噛み合い、前記大型傘歯車内には太軸が固定的に設置され、前記太軸内には左右端壁が前記作業チャンバと連通した円柱チャンバが設置され、前記円柱チャンバ内には第一捻りばねによって細軸が回転可能に設置され、前記細軸の左端には摩擦輪が固定的に設置され、前記摩擦輪の左側には皮革製品が設置され、前記細軸の右端面には第一ネジ山軸が固定的に設置され、前記第一ネジ山軸には第一ネジ山ブロックがネジ山で連結され、前記皮革製品が右へ運動する時に前記摩擦輪に摩擦され、この時に前記摩擦輪は前記皮革製品の縁部に修整を行え、前記第一捻りばねが前記摩擦輪に連動してねじって変形し、前記第一ネジ山軸と前記第一ネジ山ブロックとのネジ山連結によって前記第一ネジ山ブロックを連動させて左右に運動させられ、
前記駆動機構の左側には移動機構が設置され、前記移動機構は前記皮革製品の左右運動を制御でき、
前記駆動機構の右側には復位機構が設置され、前記復位機構は回転可能な回転ブロックを含み、前記回転ブロックが回転する時に、前記皮革製品を最初の移動方向の反対方向へ移動させることができる。
【０００７】
好ましくは、前記縁部修整機構は前記作業チャンバの上端壁と固定的に連結された支持棒も含み、前記支持棒内には前記太軸が回転可能に設置され、前記円柱チャンバの上端壁内には下方に開口した移動溝が形成され、前記移動溝内には移動ブロックがスライド可能に設置され、前記移動ブロックの下端面には下端が前記円柱チャンバ内に位置する移動棒が固定的に設置され、前記移動棒の下端には前記第一ネジ山ブロックが固定的に設置され、前記第一ネジ山ブロックの右端面には右端が前記作業チャンバ内に位置する推動棒が固定的に設置されている。
【０００８】
好ましくは、前記復位機構は前記作業チャンバの右端壁内に位置する弾性チャンバも含み、前記弾性チャンバは左方に開口し、前記弾性チャンバの右端壁には弾性ばねが固定的に設置され、前記弾性ばねの左端には前記弾性チャンバとスライド可能に連結された弾性ブロックが固定的に設置され、前記弾性ブロック内には下方に開口した弾力チャンバを含み、前記弾力チャンバの上端壁には弾力ばねが固定的に設置され、前記弾力ばねの下端には前記弾力チャンバとスライド可能に連結された弾力ブロックが固定的に設置され、前記作業チャンバの後端壁内には前方に開口した捻り溝が形成され、前記捻り溝の後端壁には中心軸が回転可能に設置されている。
【０００９】
好ましくは、前記捻り溝と前記中心軸との間には第二捻りばねが設置され、前記中心軸には回転ブロックと爪車とが固定的に設置され、前記爪車は前記回転ブロックの前側に位置し、前記作業チャンバ内には前方に開口した昇降溝が形成され、前記昇降溝内には昇降ブロックがスライド可能に設置され、前記昇降ブロックの前端は前記作業チャンバ内に位置し、前記昇降ブロックの前端には昇降棒が固定的に設置され、前記昇降棒の下側には前記作業チャンバの後端壁と回転可能に連結された回転軸が設置され、前記回転軸には伝動棒が固定的に設置されている。
【００１０】
好ましくは、前記駆動機構は前記作業チャンバの下端壁に固定的に設置されたモータを含み、前記モータの上端面内にはモータ軸が回転可能に設置され、前記モータ軸の上端には前記大型傘歯車と噛み合った駆動傘歯車が固定的に設置され、前記モータ軸内には左方に開口した運動チャンバが設置され、前記運動チャンバの下端壁には運動ばねが固定的に設置され、前記運動ばねの上端には前記運動チャンバとスライド可能に連結された運動棒が固定的に設置され、前記運動棒の左端は前記作業チャンバ内に位置し、且つ前記運動棒の左端には第一傘歯車が固定的に設置され、前記第一傘歯車の下側には前記モータ軸とスライド可能に連結された第二傘歯車ａが設置され、前記第二傘歯車ａと前記第一傘歯車とは二本の力受け棒によって固定的に連結されている。
【００１１】
好ましくは、前記移動機構は前記作業チャンバの左端壁と回転可能に連結された第一出力軸と第二出力軸とを含み、前記第二出力軸は前記第一出力軸の上側に位置し、前記第一出力軸には第一伝動歯車が固定的に設置され、前記第一出力軸の右端には第三傘歯車が固定的に設置され、前記第二出力軸には前記第一伝動歯車と伝動可能に噛み合った第二伝動歯車が固定的に設置され、前記作業チャンバの後端壁には前方に開口した水平移動溝が設置され、前記水平移動溝内には水平移動ブロックがスライド可能に設置され、前記水平移動ブロックの前端には前記第二出力軸とネジ山で連結された第二ネジ山ブロックが固定的に設置され、前記第二出力軸の右端には前記第一傘歯車と伝動可能に噛み合った第二傘歯車ｂが固定的に設置され、前記第二ネジ山ブロックの上端面には作業台が固定的に設置され、前記作業台の前端面にはチャックが二つ装着され、二つのチャックによって前記皮革製品を挟める。
【００１２】
好ましくは、前記運動ばねは引っ張られている状態にあり、前記第二捻りばねは正常状態にある。
【００１３】
好ましくは、前記弾力ブロックが右へ運動する時に、前記爪車を回転連動させることができないのであり、前記弾力ブロックが前記爪車の右側から左側へ運動する時に、前記爪車は駆動されて回転する。
【発明の効果】
【００１４】
本発明は以下のプラス効果を有する：本装置はモータ一台で皮革製品縁部の修整を行え、全体の自動化レベルが高く、使用方法も簡単で、継続的に皮革製品を加工でき、効率が高く、且つ縁部修整が完了した後に、自動的に復位し、最大限に皮革製品の面積を保てる。
【図面の簡単な説明】
【００１５】
下記に図１〜４を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の皮革製品縁部の自動修整設備の全体断面の正面構成略図
【図２】図２は図１におけるＢの拡大略図
【図３】図３は図１におけるＣの拡大略図
【図４】図４は図１におけるＡ―Ａ方向からの略図
【発明を実施するための形態】
【００１７】
付図１〜４に記載された皮革製品縁部の自動修整設備の機械構造略図によると、本発明は加工箱１０を含み、前記加工箱１０内には作業チャンバ６１が設置され、前記作業チャンバ６１の上壁に外部と連通した開口が形成され、前記作業チャンバ６１の下端壁には駆動機構８０が設置され、
前記駆動機構８０の上側には縁部修整機構８３が設置され、前記縁部修整機構８３は回転可能な大型傘歯車１９を含み、前記大型傘歯車１９と前記駆動機構８０とは伝動可能に噛み合い、前記大型傘歯車１９内には太軸２０が固定的に設置され、前記太軸２０内には左右端壁が前記作業チャンバ６１と連通した円柱チャンバ２４が設置され、前記円柱チャンバ２４内には第一捻りばね２３によって細軸２２が回転可能に設置され、前記細軸２２の左端には摩擦輪１８が固定的に設置され、前記摩擦輪１８の左側には皮革製品２１が設置され、前記細軸２２の右端面には第一ネジ山軸５２が固定的に設置され、前記第一ネジ山軸５２には第一ネジ山ブロック５１がネジ山で連結され、前記皮革製品２１が右へ運動する時に前記摩擦輪１８に摩擦され、この時に前記摩擦輪１８は前記皮革製品２１の縁部に修整を行え、前記第一捻りばね２３が前記摩擦輪１８に連動してねじって変形し、前記第一ネジ山軸５２と前記第一ネジ山ブロック５１とのネジ山連結によって前記第一ネジ山ブロック５１を連動させて左右に運動させられ、
前記駆動機構８０の左側には移動機構８２が設置され、前記移動機構８２は前記皮革製品２１の左右運動を制御でき、
前記駆動機構８０の右側には復位機構８１が設置され、前記復位機構８１は回転可能な回転ブロック３４を含み、前記回転ブロック３４が回転する時に、前記皮革製品２１を最初の移動方向の反対方向へ移動させることができる。
【００１８】
さらに、前記縁部修整機構８３について詳しく説明し、前記縁部修整機構８３は前記作業チャンバ６１の上端壁と固定的に連結された支持棒２５も含み、前記支持棒２５内には前記太軸２０が回転可能に設置され、前記円柱チャンバ２４の上端壁内には下方に開口した移動溝４９が形成され、前記移動溝４９内には移動ブロック４７がスライド可能に設置され、前記移動ブロック４７の下端面には下端が前記円柱チャンバ２４内に位置する移動棒４８が固定的に設置され、前記移動棒４８の下端には前記第一ネジ山ブロック５１が固定的に設置され、前記第一ネジ山ブロック５１の右端面には右端が前記作業チャンバ６１内に位置する推動棒５０が固定的に設置されている。
【００１９】
さらに、前記復位機構８１について詳しく説明し、前記復位機構８１は前記作業チャンバ６１の右端壁内に位置する弾性チャンバ２９も含み、前記弾性チャンバ２９は左方に開口し、前記弾性チャンバ２９の右端壁には弾性ばね３０が固定的に設置され、前記弾性ばね３０の左端には前記弾性チャンバ２９とスライド可能に連結された弾性ブロック２８が固定的に設置され、前記弾性ブロック２８内には下方に開口した弾力チャンバ２６を含み、前記弾力チャンバ２６の上端壁には弾力ばね２７が固定的に設置され、前記弾力ばね２７の下端には前記弾力チャンバ２６とスライド可能に連結された弾力ブロック３１が固定的に設置され、前記作業チャンバ６１の後端壁内には前方に開口した捻り溝５９が形成され、前記捻り溝５９の後端壁には中心軸３２が回転可能に設置され、
前記捻り溝５９と前記中心軸３２との間には第二捻りばね６０が設置され、前記中心軸３２には回転ブロック３４と爪車３３とが固定的に設置され、前記爪車３３は前記回転ブロック３４の前側に位置し、前記作業チャンバ６１内には前方に開口した昇降溝３６が形成され、前記昇降溝３６内には昇降ブロック３５がスライド可能に設置され、前記昇降ブロック３５の前端は前記作業チャンバ６１内に位置し、前記昇降ブロック３５の前端には昇降棒３７が固定的に設置され、前記昇降棒３７の下側には前記作業チャンバ６１の後端壁と回転可能に連結された回転軸３９が設置され、前記回転軸３９には伝動棒３８が固定的に設置されている。
【００２０】
好ましくは、前記駆動機構８０は前記作業チャンバ６１の下端壁に固定的に設置されたモータ４１を含み、前記モータ４１の上端面内にはモータ軸４２が回転可能に設置され、前記モータ軸４２の上端には前記大型傘歯車１９と噛み合った駆動傘歯車４０が固定的に設置され、前記モータ軸４２内には左方に開口した運動チャンバ５７が設置され、前記運動チャンバ５７の下端壁には運動ばね５８が固定的に設置され、前記運動ばね５８の上端には前記運動チャンバ５７とスライド可能に連結された運動棒５６が固定的に設置され、前記運動棒５６の左端は前記作業チャンバ６１内に位置し、且つ前記運動棒５６の左端には第一傘歯車５５が固定的に設置され、前記第一傘歯車５５の下側には前記モータ軸４２とスライド可能に連結された第二傘歯車ａ５３が設置され、前記第二傘歯車ａ５３と前記第一傘歯車５５とは二本の力受け棒５４によって固定的に連結されている。  
【００２１】
好ましくは、前記移動機構８２は前記作業チャンバ６１の左端壁と回転可能に連結された第一出力軸１１と第二出力軸１４とを含み、前記第二出力軸１４は前記第一出力軸１１の上側に位置し、前記第一出力軸１１には第一伝動歯車４６が固定的に設置され、前記第一出力軸１１の右端には第三傘歯車４３が固定的に設置され、前記第二出力軸１４には前記第一伝動歯車４６と伝動可能に噛み合った第二伝動歯車１３が固定的に設置され、前記作業チャンバ６１の後端壁には前方に開口した水平移動溝１５が設置され、前記水平移動溝１５内には水平移動ブロック１２がスライド可能に設置され、前記水平移動ブロック１２の前端には前記第二出力軸１４とネジ山で連結された第二ネジ山ブロック４５が固定的に設置され、前記第二出力軸１４の右端には前記第一傘歯車５５と伝動可能に噛み合った第二傘歯車ｂ４４が固定的に設置され、前記第二ネジ山ブロック４５の上端面には作業台１６が固定的に設置され、前記作業台１６の前端面にはチャックが二つ装着され、二つのチャックによって前記皮革製品２１を挟める。
【００２２】
好ましくは、前記運動ばね５８は引っ張られている状態にあり、前記第二捻りばね６０は正常状態にある。
【００２３】
好ましくは、前記弾力ブロック３１が右へ運動する時に、前記爪車３３を回転連動させることができないのであり、前記弾力ブロック３１が前記爪車３３の右側から左側へ運動する時に、前記爪車３３は駆動されて回転する。
【００２４】
装置全体の作動手順は以下の通りである。
【００２５】
（１）皮革製品２１をチャックで挟み、皮革製品２１の修整待ちの縁部を右へ向かせ、摩擦輪１８と対向させる。
【００２６】
（２）モータ４１を起動し、モータ軸４２は駆動されて回転し、第一傘歯車５５と、第二傘歯車ａ５３と、駆動傘歯車４０とはモータ軸４２につれ回転し、駆動傘歯車４０と大型傘歯車１９との噛み合いによって、大型傘歯車１９は駆動されて回転し、摩擦輪１８は大型傘歯車１９につれ回転し、第一傘歯車５５と第二傘歯車ｂ４４との伝動可能に噛み合うことによって、第二傘歯車ｂ４４は駆動されて回転する。
【００２７】
（３）第二出力軸１４は第二傘歯車ｂ４４につれ回転し、第二出力軸１４と第二ネジ山ブロック４５とのネジ山連結によって、第二ネジ山ブロック４５は駆動されて右へ運動し、それにより、皮革製品２１は駆動されて右へ運動し、摩擦輪１８は回転し、皮革製品２１の縁部に修整を行う。
【００２８】
（４）皮革製品２１と摩擦輪１８との摩擦によって、第一捻りばね２３は形状変化し、細軸２２は太軸２０に対して回転し、第一ネジ山軸５２は細軸２２につれ回転し、第一ネジ山軸５２と第一ネジ山ブロック５１とのネジ山連結によって、推動棒５０は駆動されて右へ運動し、弾性ブロック２８を押して右へ運動させる。
【００２９】
（５）弾力ブロック３１は弾性ブロック２８につれ爪車３３の右側に辿るまで右へ運動する。
【００３０】
（６）皮革製品２１の縁部が修整終えた後、摩擦輪１８と皮革製品２１との間の摩擦力は小さくなり、弾力ブロック３１は駆動されて左へ運動し、爪車３３を押して回転させ、第二捻りばね６０は圧縮され、回転ブロック３４は爪車３３につれ回転し、運動ばね５８は下へ復位し、第一傘歯車５５を引いて下へ運動させ、伝動棒３８によって昇降棒３７を上昇連動させ、第一傘歯車５５は降下し、第二傘歯車ｂ４４との噛合状態から離脱し、第二傘歯車ａ５３は降下し、第三傘歯車４３と?み合う。
【００３１】
（７）第二傘歯車ａ５３と第三傘歯車４３との伝動可能に噛み合うことによって、第一伝動歯車４６は駆動されて回転し、第一伝動歯車４６と第二伝動歯車１３との伝動可能に噛み合うことによって、第二出力軸１４は駆動されて逆方向へ回転し、皮革製品２１に左へ運動させ、摩擦輪１８から離脱させ、皮革製品２１の縁部修整が完了した時に、モータ４１を止めて皮革製品２１を取り替えられる。
【００３２】
以上に本発明の基本原理、主な特徴と本発明の長所を表明し説明した。本業界の従業者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の権利要求書と同等内容に画定される。
【要約】      （修正有）【課題】皮革製品縁部の自動修整設備を提供する。【解決手段】皮革製品縁部の自動修整設備は、加工箱１０を含み、加工箱内には上端壁が外部を連通した作業チャンバ６１が設置され、作業チャンバの下端壁には駆動機構８０が設置され、駆動機構の上側には縁部修整機構８３が設置され、縁部修整機構は回転可能な大型傘歯車１９を含み、大型傘歯車と駆動機構とは伝動可能に噛み合う。自動修整設備はモータ４１一台で皮革製品縁部の修整を行える。【選択図】図１【図１】
0006719705.tif 000002
【図２】
0006719705.tif 000003
【図３】
0006719705.tif 000004
【図４】
0006719705.tif 000005